(57)【要約】【課題】本発明は、壁用の化粧材を固定するための下地板を胴縁の前面に釘又はネジで取り付ける場合であっても、下地板が安定して面一になるようにする下地板の取付構造を提供することを目的とする。【解決手段】壁用の化粧材５を固定するための下地板２を胴縁１の前面にビス４で取り付けた下地板２の取付構造である。下地板２と胴縁１との間に内部に気泡を有した弾性材３が胴縁１に沿って連続して介在されている。弾性材３が内部に気泡を有しているので変形しやすく、下地板２のビス４による取り付け力が所定値以上であれば、胴縁１と下地板２との距離が一定になる。よって、下地板２が安定して面一になり、その下地板２に固定される化粧材５も安定して面一になる。【選択図】        図５
2004316232.tif 000002
【特許請求の範囲】
【請求項１】
壁用の化粧材を固定するための下地板を胴縁の前面に釘又はネジで取り付けた下地板の取付構造であって、前記下地板と前記胴縁との間に内部に気泡を有した弾性材が前記胴縁に沿って連続して介在されていることを特徴とする下地板の取付構造。
【請求項２】
前記弾性材の表面に凹みが存在することを特徴とする請求項１に記載の下地板の取付構造。
【請求項３】
前記下地板の端部の一部が前記弾性材の前面に位置していることを特徴とする請求項１又は２に記載の下地板の取付構造。
【請求項４】
前記弾性材の前面に位置している前記下地板の端部における、前記下地板の側面に前記弾性材が当接していることを特徴とする請求項３に記載の下地板の取付構造。
【請求項５】
隣接する前記下地板に跨って前記化粧材が固定されることを特徴とする請求項１乃至４の何れかに記載の下地板の取付構造。
【発明の詳細な説明】
【０００１】
【発明の属する技術分野】
本発明は，壁用の化粧材を固定するための下地板を胴縁の前面に釘又はネジで取り付けた下地板の取付構造に関するものである。
【０００２】
【従来の技術】
壁用の化粧材を固定するための下地板の取付構造としては、胴縁に取り付けた金具に下地板の端部を嵌め合わせるタイプと、釘又はネジで下地板を胴縁の前面に取り付けるタイプとに大別することができる。後者のタイプの一例として、下記特許文献１を挙げることができる。
図６は特許文献１における実施例のプレート（下地板に相当）１００の斜視図であり、図７は特許文献１におけるプレート１００の固定部分に施す防水手段１０４等を示す縦断面図である。プレート１００にはビス孔１０１が空けられており、ビス１０２をビス孔１０１に通してプレート１００を壁面１０３に固定している。このとき、ビス孔１０１から内部に雨水が侵入するのを阻止するために、防水手段１０４が設けられている。防水手段１０４はコーキング材やエポキシ樹脂のようなシール材１０５と生ゴム材１０６とから構成されている。
【０００３】
【特許文献１】
特開２００２−４５４６号公報
【０００４】
【発明が解決しようとする課題】
このように特許文献１開示の取付構造では、プレート１００のビス孔１０１には防水手段１０４が設けられ、これにより雨水の侵入を阻止しようとしているものの、防水手段１０４が柔らかい素材から構成されているので、ビス１０２による取り付け力を大きくすると、図８に示すように、プレート１００と壁面１０３とが接近してしまう。つまり、ビス１０２による取り付け力によって、プレート１００と壁面１０３との距離が異なってしまい、結果として、図９に示すように、隣接するプレート１００、１００、１００、・・・が面一にならないという問題があった。
また、図８の状態になると、プレート１００と防水手段１０４との密着度、又は壁面１０３と防水手段１０４との密着度が低下してしまい、その結果、雨水の侵入を完全に阻止できなくなるという問題があった。
【０００５】
本発明は、壁用の化粧材を固定するための下地板を胴縁の前面に釘又はネジで取り付ける場合であっても、下地板が安定して面一になるようにする下地板の取付構造を提供することを目的とする。
【０００６】
【課題を解決するための手段】
第１発明は、壁用の化粧材を固定するための下地板を胴縁の前面に釘又はネジで取り付けた下地板の取付構造であって、前記下地板と前記胴縁との間に内部に気泡を有した弾性材が前記胴縁に沿って連続して介在されていることを特徴とする。この発明によれば、弾性材が内部に気泡を有しているので変形しやすく、下地板の釘又はネジによる取り付け力が所定値以上であれば、胴縁と下地板との距離が一定になる。よって、下地板が安定して面一になり、その下地板に固定される化粧材も安定して面一になる。また、弾性材が胴縁に沿って連続して介在されていることにより、胴縁と下地板とが弾性材を介して密着状態にあるので、下地板の板間やその他の個所から侵入した雨水が胴縁を超えて移動することはない。第１発明において壁用の化粧材とは、タイル、石材、人工擬石、セメント系化粧材、木製化粧材を少なくとも意味するものである。
また、第１発明において下地板とは、壁用の化粧材を固定するための公知の下地板であればよく、特に限定されるものではない。
第２発明は、第１発明において、前記弾性材の表面に凹みが存在することを特徴とする。この発明によれば、弾性材の表面に存在する凹みが吸盤の作用を奏することで、下地板と弾性材との密着度を高めることができる。よって、地震や風圧による建造物の変形に伴なって下地板が所定の位置から変位したとしても、下地板と弾性材とが当接した状態を保つことができる。
第３発明は、第１又は第２発明において、前記下地板の端部の一部が前記弾性材の前面に位置していることを特徴とする。この発明によれば、少なくとも弾性材の前面に位置している下地板の板間からの雨水の侵入を阻止することができる。
第４発明は、第３発明において、前記弾性材の前面に位置している前記下地板の端部における、前記下地板の側面に前記弾性材が当接していることを特徴とする。この発明によれば、下地板がその裏面に加え、側面においても弾性材に当接するので、下地板と弾性材との密着度を高めることができる。よって、雨水の侵入をより一層阻止することができる。
第５発明は、第１乃至第４発明の何れかにおいて、隣接する前記下地板に跨って前記化粧材が固定されることを特徴とする。下地板が面一になっているので、隣接する下地板に跨った化粧材が跨らない化粧材と同様に面一に下地板に対して固定される。
【０００７】
【発明の実施の形態】
以下、図面を参照して実施の形態について説明する。図１（ａ）は実施の形態に係る下地板の取付構造を示す一つの胴縁近傍の水平断面図、図１（ｂ）はこの構造を説明する分解図である。図２はこの構造を説明する分解斜視図である。図３は実施の形態に係る弾性材の一部を示す拡大斜視図である。図４は実施の形態に係る下地板の取付構造を示す複数の胴縁間における水平断面図、図５は実施の形態に係る下地板の取付構造を示す複数の胴縁間における一部分解斜視図である。
【０００８】
図１、２において、柱又は既存外壁（図示略）に沿って胴縁１が取り付けられ、上下方向に延在している。この胴縁１の前面に対し、図１（ｂ）及び図２の通り、壁用の化粧材５（図５参照）を固定するための下地板２が固定される予定の領域において、弾性材３が連続して両面テープ、接着剤又は粘着剤により付着されている。この付着方法を用いる代わりに、弾性材３としてその一方の面に粘着剤層が形成され、この粘着剤層が剥離紙で覆われているものを用い、この剥離紙を剥して弾性材３を胴縁１に付着させてもよい。
【０００９】
この弾性材３の前面に下地板２の側面の端部２４が重ね合わされ、ビス４が下地板２及び弾性材３を介して胴縁１にねじ込まれ、これにより下地板２が固定される。その際、下地板２はその受け部２１に下地板２の上端縁２２を当接しつつ、胴縁１に対して取付施工される。下地板２の端部２４が弾性材３の前面に位置しているので、下地板２の裏面が弾性材３と密着し、少なくとも隣接する下地板２、２の板間からは雨水の侵入を阻止することができる。下地板２が胴縁１に対して取付施工された後は、図４に示すように、下地板２の端部２４に弾性材３が当接することになるので、下地板２がその側面においても弾性材３に当接し、下地板２と弾性材３との密着度を高めることができる。よって、雨水の侵入をより一層阻止することができる。
なお、ビス４は柱や既存外壁にまで達するように長いものを使用することが好ましい。また、下地板２にはビス４をねじ込む位置を示すマーク又はビス４を通すための孔を設けておくことが好ましい。図２中、２３は化粧材５を固定するための係止部である。
【００１０】
図３に示すように弾性材３は、その内部に気泡３１を多数有し、その表面に凹みを多数有している。この材質としては、耐水性、耐候性に優れたＥＰＤＭ等の合成ゴムが好適である。弾性材３として合成樹脂の発泡体を用いる場合には、８〜１５倍、特に１０倍程度に発泡させたものが好ましい。弾性体３の施工前の元の厚さは５〜１０ｍｍ程度が好ましい。
弾性材３はその内部に気泡３１を有しているので、弾性材３が変形しやすく、下地板２のビス４による取り付け力が所定値以上であれば、胴縁１と下地板２との距離が一定になる。よって、図４に示すように、下地板２、２、２、・・・が安定して面一になる。その結果、図５に示すように、その下地板２に固定されるどの化粧材５も安定して面一になる。
弾性材３が、下地板２が固定される予定の領域において連続して付着されているので、下地板２と胴縁１との間に弾性材３が胴縁１に沿って連続して介在されることになる。その結果、胴縁１と下地板２とが弾性材３を介して密着状態にあるので、下地板１の板間やその他の個所から侵入した雨水が胴縁１を超えて移動することはない。
弾性材３はその表面に凹み３２を有しているので、この凹み３２が吸盤の作用を奏し、下地板２と弾性材３との密着度を高めることができる。よって、地震や風圧による建造物の変形に伴なって下地板２が所定の位置から変位したとしても、下地板２と弾性材３とが当接した状態を保つことができる。
【００１１】
【発明の効果】
本発明によれば、下地板が安定して面一になり、その下地板に固定される化粧材も面一にすることができる。
【図面の簡単な説明】
【図１】実施の形態に係る下地板の取付構造を示す一つの胴縁近傍の水平断面図（ａ）、この構造を説明する分解図（ｂ）
【図２】図１の構造を説明する分解斜視図
【図３】実施の形態に係る弾性材の一部を示す拡大斜視図
【図４】実施の形態に係る下地板の取付構造を示す複数の胴縁間における水平断面図
【図５】実施の形態に係る下地板の取付構造を示す複数の胴縁間における一部分解斜視図
【図６】従来技術に係る下地板（プレート）の斜視図
【図７】図６のプレートの固定部分に施す防水手段等を示す縦断面図
【図８】図７の防水手段をビスにより変形させた状態を示す縦断面図
【図９】図７で表されていない領域を表した縦断面図
【符号の説明】
１    胴縁
２    下地板
２４  端部
３    弾性材
３１  気泡
３２  凹み
４    ビス
５    化粧材
【図１】
2004316232.tif 000003
【図２】
2004316232.tif 000004
【図３】
2004316232.tif 000005
【図４】
2004316232.tif 000006
【図５】
2004316232.tif 000007
【図６】
2004316232.tif 000008
【図７】
2004316232.tif 000009
【図８】
2004316232.tif 000010
【図９】
2004316232.tif 000011